(57)【要約】      （修正有）【課題】貯湯タンクの断熱性能を確実に確保でき、保温材の製作費を低減できる貯湯式給湯装置を提供する。【解決手段】ヒートポンプユニットで加熱された温水を貯留する為の縦長筒状の外周面を有する貯湯タンク８と、この貯湯タンク８の外面側を覆う保温材９とを有し、保温材９は、前記貯湯タンク８の軸心と直交する面で分割された複数の環状保温材２９を有し、これら環状保温材２９を前記軸心方向へ積み重ねることにより前記貯湯タンク８の周囲を覆うように構成し、貯湯タンク８が液圧作用により軸心と直交する方向（径方向）へ膨張した場合、その膨張を環状保温材２９の弾性変形で吸収でき、環状保温材２９同士の隙間が拡大するものでもない。【選択図】図２
2012132626.tif 000002
【特許請求の範囲】
【請求項１】
加熱手段で加熱された温水を貯留する為の縦長筒状の外周面を有する貯湯タンクと、この貯湯タンクの外面側を覆う保温材とを有する貯湯式給湯装置において、
前記保温材は、前記貯湯タンクの軸心と直交する面で分割された複数の環状保温材を有し、これら環状保温材を前記軸心方向へ積み重ねることにより前記貯湯タンクの周囲を覆うように構成したことを特徴とする貯湯式給湯装置。
【請求項２】
前記貯湯タンクに貯留された温水の温度を検知する複数の温度検知手段を設け、
それら温度検知手段を複数の環状保温材を突き合わせる複数の合わせ目部又は合わせ目近傍部に夫々配置したことを特徴とする請求項１に記載の貯湯式給湯装置。
【請求項３】
前記貯湯タンクと保温材を収容可能な外装ケースを備え、
前記環状保温材の外周形状を外装ケースの内面形状と同形状に形成したことを特徴とする請求項１又は２に記載の貯湯式給湯装置。
【請求項４】
前記貯湯タンクの上端部を覆う上端保温材と下端部を覆う下端保温材のうちの少なくとも１つが真空断熱材で構成されたことを特徴とする請求項１〜３の何れか１項に記載の貯湯式給湯装置。
【請求項５】
少なくとも１つの環状保温材に、前記貯湯タンクの外周近傍部に付設される補機類を収容可能な収容部を設けたことを特徴とする請求項１〜４の何れか１項に記載の貯湯式給湯装置。
【発明の詳細な説明】
【技術分野】
【０００１】
本発明は、貯湯式給湯装置に関し、特に、温水を貯留する貯湯タンクの外面側を覆う保温材の構造を改良したものである。
【背景技術】
【０００２】
近年、貯湯式給湯装置として、ヒートポンプを用いた貯湯式のヒートポンプ式給湯装置が実用に供されている。この給湯装置は、温水を貯留する大容量の貯湯タンクと、ヒートポンプ回路を有するヒートポンプユニットを備え、夜間割引の安価な電力を利用して、ヒートポンプ回路で水道水を温水に加熱し、その温水を貯湯タンクに貯留しておき、蛇口や風呂などの所望の給湯先に給湯するものである。ヒートポンプ式給湯装置は、ヒートポンプ回路での冷媒の状態変化を利用して水道水を加熱しているので、燃焼式や電気ヒータ式の給湯装置よりもエネルギー効率が良く、給湯コストの低減を図ることができる。
【０００３】
ところで、貯湯式給湯装置においては、夜間に蓄熱した高温の温水を出湯するまで保温しておく必要があるため、貯湯タンクの外面側を断熱材で覆ってタンクの断熱性能を高め、温水の温度低下を防いでいる。
【０００４】
特許文献１の貯湯式給湯機においては、縦長筒状の外周面を有する貯湯タンクの外面側が断熱材で覆われている。この断熱材は、発泡ポリスチレン等の樹脂を発泡成形した発泡断熱材で形成され、タンク上部を覆う上部発泡断熱材と、タンク下部を覆う下部発泡断熱材と、タンク胴部を覆う胴部発泡断熱材とを組み合わせて貯湯タンクの周囲を覆うように構成されている。
【０００５】
胴部発泡断熱材は、貯湯タンクの軸心を含む鉛直面で２分割された前後１対の分割体からなる縦長の円筒体に成形されている。胴部発泡断熱材において、一方の分割体の周方向両端部には、その高さ方向の中央部に外側へ突出した凸状の挿入部が形成され、他方の分割体の周方向両端部には、その高さ方向中央部に前記挿入部を挿入可能な凹状の挿通部が形成されている。
【先行技術文献】
【特許文献】
【０００６】
【特許文献１】特開２００９−４７３３３号公報
【発明の概要】
【発明が解決しようとする課題】
【０００７】
特許文献１の貯湯式給湯機においては、貯湯タンクが液圧作用によりタンクの軸心と直交する方向（径方向）に膨張すると、胴部発泡断熱材が径方向へ移動して、１対の分割体を突き合わせた合わせ目に隙間が生じるため、その隙間からの放熱ロスが増大し、貯湯タンクの断熱性能が低下する。また、胴部発泡断熱材が径年変化により収縮した場合にも、１対の分割体の合わせ目に隙間が生じるので、長期間に亙って貯湯タンクの断熱性能を保持することができない。
【０００８】
さらに、胴部発泡断熱材は、貯湯タンクの軸心を含む鉛直面に２分割された前後１対の分割体からなる縦長筒体であるので、胴部発泡断熱材の分割体を成形する為の金型が大型になるので、金型製作費が高くなり、発泡断熱材の製作費の低減を図ることができない。  胴部発泡断熱材は、縦長のタンク胴部の外周面を覆うように貯湯タンクの軸心方向と平行に延びているので、胴部発泡断熱材が大型化し、胴部発泡断熱材をタンク胴部に取り付ける際、取り扱うのが面倒である。
【０００９】
本発明の目的は、貯湯タンクの断熱性能を確実に確保できる保温材を有する貯湯式給湯装置を提供すること、保温材の製作費を低減できる貯湯式給湯装置を提供すること、貯湯タンクに容易に取り付け可能な保温材を有する貯湯式給湯装置を提供することである。
【課題を解決するための手段】
【００１０】
請求項１の貯湯式給湯装置は、加熱手段で加熱された温水を貯留する為の縦長筒状の外周面を有する貯湯タンクと、この貯湯タンクの外面側を覆う保温材とを有する貯湯式給湯装置において、前記保温材は、前記貯湯タンクの軸心と直交する面で分割された複数の環状保温材を有し、これら環状保温材を前記軸心方向へ積み重ねることにより前記貯湯タンクの周囲を覆うように構成したことを特徴としている。尚、複数の環状保温材は共通の金型で成形可能な同形状に構成することが望ましい。
【００１１】
請求項２の貯湯式給湯装置は、前記貯湯タンクに貯留された温水を検知する複数の温度検知手段を設け、それら温度検知手段を複数の環状保温材を突き合わせる複数の合わせ目部又は合わせ目近傍部に夫々配置したことを特徴としている。
【００１２】
請求項３の貯湯式給湯装置は、請求項１又は２の発明において、前記貯湯タンクと保温材を収容可能な外装ケースを備え、前記環状保温材の外周形状を外装ケースの内面形状と同形状に形成したことを特徴としている。
【００１３】
請求項４の貯湯式給湯装置は、請求項１〜３の発明の何れか１項において、前記貯湯タンクの上端部を覆う上端保温材と下端部を覆う下端保温材のうちの少なくとも１つが真空断熱材で構成されたことを特徴としている。
【００１４】
請求項５の貯湯式給湯装置は、請求項１〜４の発明の何れか１項において、少なくとも１つの環状保温材に、前記貯湯タンクの外周近傍部に付設される補機類を収容可能な収容部を設けたことを特徴としている。
【発明の効果】
【００１５】
請求項１の発明によれば、保温材は、貯湯タンクの軸心と直交する面で分割された複数の環状保温材を有し、これら環状保温材をタンクの軸心方向へ積み重ねることにより貯湯タンクの周囲を覆うように構成したので、液圧作用により貯湯タンクが軸心と直交する方向（径方向）へ膨張した場合、その膨張を環状保温材の弾性変形で吸収でき、環状保温材同士間の隙間が拡大する訳でもないため、貯湯タンクの断熱性能を確保できる。また、環状保温材が径年変化により前記径方向に収縮した場合でも環状保温材同士に隙間が生じることがないので、長期間に亙って貯湯タンクの断熱性能を確保できる。
【００１６】
保温材は、貯湯タンクの軸心と直交する面で分割された複数の環状保温材を有するので、保温材を成形する共通の金型の小型化を図ることができるため、金型製作費を低減でき、保温材の製作費を低減できる。
【００１７】
保温材は、複数の環状保温材を貯湯タンクの軸心方向へ積み重ねることにより貯湯タンクの周囲を覆うようにしたので、環状保温材を小型化できるため、複数の環状保温材を貯湯タンクに取り付ける際、各環状保温材を容易に取り扱うことができるうえ、１又は複数の環状保温材の自重により、複数の環状保温材の複数の合わせ目に隙間が生じることがなく、環状保温材のガタつきやズレを防止することができる。
複数の環状保温材を貯湯タンクの軸心方向へ積み重ねることで貯湯タンクの周囲を覆うように構成したので、高さの異なる種々の貯湯タンクに対応することができる。
【００１８】
請求項２の発明によれば、複数の温度検知手段を複数の環状保温材を突き合わせる複数の合わせ目部又は合わせ目近傍部に夫々配置したので、複数の温度検知手段の取り付け作業を容易に行うことができる。また、故障等により温度検知手段を取り換える際、一部の環状保温材を軸心方向へ少し移動させて工事用隙間を形成する等により、温度検知手段の取り換え作業を容易に行うことができる。即ち、環状保温材に、温度検知手段視認用の穴を別途形成し、更に、タンクの断熱性能を維持する為に、前記穴を塞ぐ部材を設ける必要がないため、環状保温材を容易に成形でき、環状保温材の断熱性能を維持でき且つ製作費の低減を図ることができる。
【００１９】
請求項３の発明によれば、貯湯タンクと保温材を収容可能な外装ケースを備え、環状保温材の外周形状を外装ケースの内面形状と同形状に形成したので、環状保温材を貯湯タンクと外装ケースの内面との間に殆ど隙間なく収容することができると共に、貯湯タンクの外周面に密着させてタンクの断熱性能を長期間に亙って確保することができる。
【００２０】
請求項４の発明によれば、貯湯タンクの上端部を覆う上端保温材と下端部を覆う下端保温材のうちの少なくとも１つが真空断熱材で構成されたので、貯湯タンクの上端部と下端部の断熱性能を高めることができる。
【００２１】
請求項５の発明によれば、少なくとも１つの環状保温材に、貯湯タンクの外周近傍部に付設される補機類を収容可能な収容部を設けたので、外装ケースに補機類を収容する為のスペースを設ける必要がなく、外装ケースを小型化することできる。
【図面の簡単な説明】
【００２２】
【図１】貯湯式給湯装置の概略構成図である。
【図２】貯湯タンクユニットの縦断面図である。
【図３】貯湯タンクユニットの横断面図である。
【図４】実施例２の貯湯タンクユニットの縦断面図である。
【図５】実施例３の貯湯タンクユニットの縦断面図である。
【図６】実施例４の貯湯タンクユニットの縦断面図である。
【図７】実施例５の貯湯タンクユニットの横断面図である。
【図８】実施例６の貯湯タンクユニットの縦断面図である。
【発明を実施するための形態】
【００２３】
以下、本発明を実施するための形態について実施例に基づいて説明する。
【実施例１】
【００２４】
図１に示すように、貯湯式給湯装置である貯湯式ヒートポンプ式給湯装置１は、貯湯タンクユニット２と、ヒートポンプユニット３（加熱手段）と、配管類６，１１，１２，１３ａ，１３ｂ，１５と、主制御部７などを有する。
【００２５】
図１、図２に示すように、貯湯タンクユニット２は、縦長筒状の外周面を有する貯湯タンク８と、この貯湯タンク８の外面側を覆う保温材９と、貯湯タンク８と保温材９を収容可能な外装ケース１０とを備えている。貯湯タンク８は、ヒートポンプユニット３で加熱された高温の温水を貯留するものであり、耐腐食性に優れたステンレス製の板材で構成され、半球状に形成された上下１対のタンク上部８ａ及びタンク下部８ｂと、縦長の円筒状に形成されたタンク胴部８ｃとが溶接で一体化されている。
【００２６】
タンク下部８ｂの下端部には、水道管などの給水管１１と温水循環用配管１３ａに接続される下部配管１２が接続されている。給水管１１には、貯湯タンク８へ水道水を補充する為の開閉弁５が設けられており、開閉弁５が開いて水道水を貯湯タンク８内に補充するようになっている。その貯湯タンク８から液送ポンプ３７を介して温水（貯留水）が下部配管１２、温水循環用配管１３ａを通りヒートポンプユニット３に送られる。ヒートポンプユニット３で加熱された温水は温水循環用配管１３ｂへ流れる。
【００２７】
タンク上部８ａの上端部には、温水循環用配管１３ｂと出湯用配管６に接続される上部配管１５が接続されている。上部配管１５には開閉弁１４が設けられている。開閉弁５，１４を開くと、貯湯タンク８内に貯留された高温の温水（例えば、８０〜９０℃）を上部配管１５に供給することが可能となる。
【００２８】
保温材９は、例えば、発泡ポリプロピレン、発泡ポリスチレン等の樹脂を発泡成形した発泡断熱材で構成され、貯湯タンク８の外面側を覆って貯湯タンク８に貯留された温水の温度低下を防ぐ断熱機能を有する。この保温材９については後で詳しく説明する。
【００２９】
外装ケース１０は、薄鋼板製で貯湯タンク８の軸心方向に所定の長さを有する断面矩形の直方体の箱状に形成され、左右１対の側面板と、前後１対の前面板と後面板と、上下１対の上面板（天板）と下面板とから構成されている。
【００３０】
ヒートポンプユニット３は、二酸化炭素などの冷媒の循環流通経路上に、大気熱を吸収するための熱交換器１６ａと電動ファン１６ｂとファンモータ１６ｃを有する蒸発器ユニット１６と、圧縮機１７と、凝縮器としての温水加熱用熱交換器１８と、高圧の冷媒を急膨張させて圧力を下げる膨張弁１９とが順次接続されたヒートポンプ回路３Ａと、主制御部７に接続された補助制御部２０と、これらを収容するケース２１とを備えている。
【００３１】
ヒートポンプユニット３において、圧縮機１７を駆動することにより高圧まで圧縮されて加熱状態の冷媒は、温水加熱用熱交換器１８に送られ、液送ポンプ３７の駆動によりタンク下部８ｂの下端部から下部配管１２を経て温水循環用配管１３ａに流入した温水又は水と熱交換してその温水又は水を暖め、加熱された温水が温水循環用配管１３ｂ、上部配管１５を通って貯湯タンクユニット２の貯湯タンク８に貯留され、ヒートポンプユニット３を経由する加熱動作を繰り返すことで貯湯タンク８に高温の温水が貯留される。
【００３２】
補助制御部２０は、主制御部７との間でデータ通信可能であり、主制御部７からの指令に従ってヒートポンプ回路３Ａの各種機器（ファンモータ１６ｃ、圧縮機１７など）の動作制御を実行する。温水加熱用熱交換器１８の出口側部分において、温水循環用配管１３ｂには、温水温度を検知するための温度センサ２２が設けられ、その検出信号が主制御部７に供給されている。補助制御部２０は、温水の加熱温度が主制御部７から指示された温度となるまで、ヒートポンプユニット３を作動させる。
【００３３】
ユーザによる給湯操作が行われると、貯湯タンク８に貯留された温水が出湯用配管６に流れ、その温水と給水管１１から供給される水道水とが混合弁２３で混合され、所定の温度となって蛇口などの給湯栓４に給湯される。混合弁２３の上流部、下流部、給水管１１の途中部には、夫々、温水温度又は入水温度を検知するための温度センサ２４〜２６が設けられ、これら温度センサ２４〜２６の検出信号が主制御部７に供給されている。主制御部７は、これら温度センサ２４〜２６で検知された温度検知データに基づいて、混合弁２３を制御して温水と水の混合比を調節することで給湯する温水の温度を調整する。
【００３４】
次に、貯湯タンク８の外面側を覆う本願特有の保温材９について説明する。
図２，３に示すように、保温材９は、タンク上部８ａの外面を覆う上部保温材２８と、縦長円筒状のタンク胴部８ｃの外周面を覆う複数の環状保温材２９と、タンク下部８ｂの外面を覆う下部保温材３０とを備え、これら上部保温材２８と複数の環状保温材２９と下部保温材３０とを貯湯タンク８の軸心方向へ積み重ねることにより貯湯タンク８の周囲を覆うように構成されている。尚、貯湯タンク８の重量を支える複数の支持脚（図示略）が設けられており、これら支持脚は下部保温材３０を貫通して下方へ延びている。
【００３５】
保温材９において、上部保温材２８と下部保温材３０は概ね同形状に形成され、その外周形状は、外装ケース１０の内面形状と同形に形成されている。上部保温材２８と下部保温材３０の中央部分には、夫々、タンク上部８ａとタンク下部８ｂを収容可能な収容凹部２８ａ，３０ａが形成されている。
【００３６】
保温材９は、タンク胴部８ｃの軸心方向に所定間隔おきに前記軸心方向と直交する面で分割した複数の環状保温材２９を有し、これら複数の環状保温材２９を貯湯タンク８の軸心方向へ積み重ねることによりタンク胴部８ｃの周囲を覆うように構成されている。
【００３７】
各環状保温材２９は、前記軸心方向に所定の厚みを有し、周方向と上下方向に連続した一体品に構成され、その外周形状が外装ケース１０の内面形状と同形に形成されている。環状保温材２９の中央部分には、タンク胴部８ｃが微小の隙間をあけて挿通可能な平面視円形のタンク挿通孔２９ａが形成されている。各環状保温材２９は、タンク挿通孔２９ａの内周面がタンク胴部８ｃの外周面に外嵌されている。
【００３８】
複数の環状保温材２９を突き合わせる合わせ目は、上部保温材２８の上端を覆う外装ケース１０の天板をボルト締結することにより作用する押圧力と、１又は複数の環状保温材２９の自重により隙間なく密接している。複数の環状保温材２９の複数の合わせ目近傍部と、上部保温材２８及び下部保温材３０の合わせ目近傍部には、夫々、温度センサ３１〜３４（温度検知手段）が配置されている。これら温度センサ３１〜３４は主制御部７と接続されており、高さ方向所定間隔おきの位置における貯湯タンク８の温度を検知して、それら温度検出信号を主制御部７に供給する。
【００３９】
主制御部７は、温度センサ３１〜３４からの温度検知データに基づいて、貯湯タンク８内の残湯量を判定する判定処理を実行する。即ち、温水のある部位では検知温度が所定値（例えば、８０〜９０℃）以上になるが、温水のない部位では検知温度が上記の値よりも低くなる。前記の判定処理においては、例えば温度センサ３４の検知温度が所定値以上であれば、貯湯タンク８内の貯湯量が満杯であると判定される。
【００４０】
主制御部７は、ユーザが操作可能な操作リモコン２７との間でデータ通信可能であり、ユーザによる操作リモコン２７のスイッチ操作により目標給湯温度が設定されると、その目標給湯温度データが操作リモコン２７から主制御部７に送信される。主制御部７は、給湯動作時には、目標給湯温度データ及び温度センサ３１〜３４からの温度検知データに基づいて、ヒートポンプユニット３で温水を加熱する加熱温度を決定し、補助制御部２０にその加熱温度を指示する。
【００４１】
以上説明した貯湯式ヒートポンプ式給湯装置１の作用効果について説明する。
この貯湯式ヒートポンプ式給湯装置１においては、夜間割引の安価な電力を利用して、ヒートポンプユニット３の各種機器（ファンモータ１６ｃ、圧縮機１７など）を駆動して、ヒートポンプユニット３で一日に必要な量の温水を作り、その蓄熱した高温の温水を貯湯タンク８に貯留しておき、出湯する際、高温の温水と水道水とを混合して、ユーザの欲する所望の温度にして、蛇口や風呂などの給湯先に給湯する。
【００４２】
貯湯タンク８の外面側が保温材９で覆われ、この保温材９は、縦長円筒状のタンク胴部８ｃの軸心と直交する面で分割された複数の環状保温材２９を有し、これら複数の環状保温材２９を前記軸心方向へ積み重ねることにより縦長円筒状のタンク胴部８ｃの外周面を覆うように構成したので、貯湯タンク８が液圧作用により軸心と直交する方向（径方向）へ膨張した場合、環状保温材２９の弾性変形により吸収でき、環状保温材２９同士間に隙間が発生しないため、貯湯タンク８の断熱性能を確保することができる。環状保温材２９が径年変化により径方向に収縮した場合でも環状保温材２９同士間に隙間が発生しないので、長期間に亙って貯湯タンク８の断熱性能を確保することができる。
【００４３】
保温材９は、タンク胴部８ｃの軸心と直交する面で分割された同サイズ同形状の複数の環状保温材２９を有するので、複数の環状保温材２９を成形する際に共通の小型の金型で成形できるため、金型製作費を低減でき、保温材９の製作費の低減を図ることができる。
【００４４】
保温材９は、複数の環状保温材２９を貯湯タンク８の軸心方向へ積み重ねることによりタンク胴部８ｃの周囲を覆うように構成したので、タンク胴部８ｃに容易に取り付けることができるうえ、環状保温材２９の自重により、複数の環状保温材２９の複数の合わせ目に隙間が生じることがなく、環状保温材２９のガタつきやズレを防止することができる。  また、複数の環状保温材２９を貯湯タンク８の軸心方向へ積み重ねることでタンク胴部８ｃの周囲を覆うように構成したので、高さの異なる種々の貯湯タンクに対応することができる。
【００４５】
複数の温度センサ３１〜３４を複数の環状保温材２９を突き合わせる複数の合わせ目近傍部に夫々配置したので、複数の温度センサ３１〜３４の取り付け作業を容易に行うことができる。また、故障等により温度センサ３１〜３４を取り換える際、一部の保温材２８〜３０を軸心方向へ少し移動させて工事用隙間を形成する等により、温度センサ３１〜３４の取り換え作業を容易に行うことができる。即ち、環状保温材２９に、温度センサ３１〜３４視認用の穴を別途形成し、更に、貯湯タンク８の断熱性能を維持する為に、前記穴を塞ぐ部材を設ける必要がないため、環状保温材２９を容易に成形でき、環状保温材２９の断熱性能を維持でき且つ製作費の低減を図ることができる。
【００４６】
貯湯タンク８と保温材９を収容可能な外装ケース１０を備え、環状保温材２９の外周形状を外装ケース１０の内面形状と同形状に形成したので、環状保温材９を貯湯タンク８と外装ケース１０の内面との間に殆ど隙間なく収容することができると共に、貯湯タンク８の外周面に密着させて貯湯タンク８の断熱性能を長期間に亙って確保することができる。
【００４７】
次に、上記の貯湯ユニット２を部分的に変更した実施例２〜６について説明するが、実施例１と同様の構成要素には同様の参照符号を付して説明を省略し、異なる構成要素についてのみ説明する。
【実施例２】
【００４８】
図４に示すように、貯湯タンクユニット２Ａにおいて、保温材９Ａは、上部環状保温材２８Ａと、複数の環状保温材２９と、下部環状保温材３０Ａと、上端保温材３５と、下端保温材３６とを備えている。
【００４９】
上部環状保温材２８Ａ及び下部環状保温材３０Ａは、タンク軸心方向に所定の厚みを有し、環状保温材２９と同サイズ・同形状に形成されている。これら保温材２８Ａ，２９，３０Ａは、実施例１の保温材９と同様の発泡断熱材で構成されている。上端保温材３５と下端保温材３６は、保温材２８Ａ，２９，３０Ａより小さい厚さ（又は同等の厚さ）の正方形の平板状の発泡断熱材で構成され、上端保温材３５が上部環状保温材２８Ａの上端を覆い、下端保温材３６が下部環状保温材３０Ａの下端を覆っている。
【００５０】
この保温材９Ａの場合、保温材２８Ａ，２９，３０Ａを共通の小型の金型を用いて成形できるうえ、上端保温材３５と下端保温材３６は、平板状の発泡体から切り出すことで製作できるため、成形用の金型を省略できる。
尚、変更形態として、上端保温材３５を真空断熱材で構成してもよく、また、上端保温材３５と下端保温材３６の夫々を真空断熱材で構成してもよい。この場合、保温材３５，３６の厚さを更に小さくすることができるため、コンパクトに構成でき、断熱性能も確保できる。
【実施例３】
【００５１】
図５に示すように、貯湯タンクユニット２Ｂにおいて、保温材９Ｂは、上部環状保温材２８Ｂと、下部環状保温材３０Ｂと、複数の環状保温材２９と、上端保温材３５Ｂと、下端保温材３６Ｂとを備えている。これらの保温材２８Ｂ，２９，３０Ｂ，３５Ｂ，３６Ｂは、実施例１の保温材９と同様に発泡断熱材で構成されている。
【００５２】
上部環状保温材２８Ｂと下部保温材３０Ｂは、環状保温材２９よりも厚く形成されている点で異なるのみで、平面視では同様の形状に構成されている。つまり、上部環状保温材２８Ｂの中央部分には、タンク上部８ａが挿通可能なタンク挿通孔２８ｂが形成され、下部保温材３０Ｂの中央部分には、タンク下部８ｂが挿通可能なタンク挿通孔３０ｂが形成されている。上端保温材３５Ｂは、タンク挿通孔２８ｂの上端側部分を塞ぐ円板状の発泡断熱材で構成され、下端保温材３６Ｂは、タンク挿通孔３０ｂの下端側部分を塞ぐ円板状の発泡断熱材で構成されている。
【００５３】
尚、変更例として、上端保温材３５Ｂを平板状ではなく、その下面側の環状隙間を埋めるような形状に形成してもよく、同様に、下端保温材３６Ｂを平板状ではなく、その上面側の環状隙間を埋めるような形状に形成してもよい。また、上端保温材３５Ｂと下端保温材３６Ｂを発泡断熱材ではなく、真空断熱材で夫々構成してもよい。
【実施例４】
【００５４】
図６に示すように、貯湯タンクユニット２Ｃにおいて、保温材９Ｃは、上部保温材２８Ｃと、複数の環状保温材２９Ｃと、下部保温材３０Ｃとを備えている。
保温材２８Ｃ，２９Ｃ，３０Ｃは、実施例１の保温材２８，２９，３０と概ね同様の形状であるので、異なる点についてのみ説明する。
この保温材９Ｃにおいては、保温材２８Ｃ，２９Ｃ，３０Ｃと保温材２９Ｃ，３０Ｃとの境界部に環状の係合凸部２８ｃ，２９ｄ，３０ｃと環状の係合凹部２９ｃ，２９ｅとを係合させた係合構造を設けて断熱性能を高めている。
【００５５】
環状保温材２９Ｃの上端部の内周部には、環状凹部２９ｃが形成され、上部保温材２８Ｃの下端部の内周部に形成された環状凸部２８ｃが最上段の環状凹部２９ｃに係合されている。最上段の環状保温材２９Ｃの下端部の内周部に形成された環状凸部２９ｄがその下側の環状凹部２９ｃに係合されている。
【００５６】
中段の環状保温材２９Ｃの下端部の内周部に形成された環状凸部２９ｄがその下側の環状凹部２９ｃに係合されている。下部保温材３０Ｃの上端部の内周部に形成された環状凸部３０ｃが最下段の環状保温材２９Ｃの下端部の内周部に形成された環状凹部２９ｅに係合されている。このように、係合凸部２８ｃ，２９ｄ，３０ｃと係合凹部２９ｃ，２９ｅとを係合させた係合構造を設けたため、断熱性能を確実に高めることができる。
【実施例５】
【００５７】
図７に示すように、貯湯タンクユニット２Ｄにおいて、保温材９Ｄは、複数の環状保温材２９Ｄを有し、これら複数の環状保温材２９Ｄのうちの少なくとも１つには、胴部タンク８ｃの外周近傍部に付設される熱交換器３７や配管３８等の補機類を収容する収容凹部２９ｆが設けられている。これにより、外装ケース１０に前記補機類を収容する為のスペースを設ける必要がなく、外装ケース１０を小型化することができる。尚、複数の環状保温材２９Ｄに前記収容凹部２９ｆを夫々設けてもよい。
【実施例６】
【００５８】
図８に示すように、貯湯タンクユニット２Ｅは、縦長の円柱形状の貯湯タンク８Ｅと、この貯湯タンク８Ｅの外面側を覆う保温材９Ｅと、貯湯タンク８Ｅと保温材９Ｅを収容可能な外装ケース１０とを備えている。
【００５９】
保温材９Ｅは、上部保温材２８Ｅと、貯湯タンク８Ｅの軸心と直交する面で分割された複数の環状保温材２９Ｅと、下部保温材３０Ｅを備えている。上部保温材２８Ｅと下部保温材３０Ｅの中央部分には、夫々、タンク上部とタンク下部を収容可能な円形の収容凹部が形成されている。環状保温材２９Ｅは、実施例１の環状保温材２９と同様の構造である。
【００６０】
これら上部保温材２８Ｅと、複数の環状保温材２９Ｅと、下部保温材３０Ｅを軸心方向へ積み重ねることにより円柱状の貯湯タンク８Ｅの周囲を覆うように構成されている。但し、変更例として、保温材９Ｅの上部保温材２８Ｅと下部保温材３０Ｅを夫々２分割して、実施例２の保温材９Ａと同様の構造にしてもよい。
【００６１】
尚、前記実施例を次のように変更可能である。
（１）複数の環状保温材２９を突き合わせる複数の合わせ目部の両側に亙る状態に温度センサ３１〜３４を設けてもよい。
（２）環状保温材の外周形状を円形形状に形状にしてもよい。
（３）環状保温材を真空断熱材で構成し、保温材の全部を真空断熱材で構成してもよい。
【００６２】
（４）その他、本発明の趣旨を逸脱しない範囲において、前記の実施例に種々の変更を付加して実施可能であり、種々の形状及び容量の貯湯タンクに本発明の保温材を適用可能である。また、貯湯式燃焼式給湯装置、貯湯式電気ヒータ式給湯装置にも本発明の保温材を同様に適用可能である。
【符号の説明】
【００６３】
１          貯湯式ヒートポンプ式貯湯装置
２、２Ａ〜２Ｅ    貯湯タンクユニット
３          ヒートポンプユニット
８、８Ｅ    貯湯タンク
９、９Ａ〜９Ｅ    保温材
１０        外装ケース
２９、２９Ｃ、２９Ｄ、２９Ｅ  環状保温材
２９ｆ      収容凹部
３１〜３４    温度センサ
３５、３５Ｂ  上端保温材
３６、３６Ｂ  下端保温材
３７、３８    補機類
【図１】
2012132626.tif 000003
【図２】
2012132626.tif 000004
【図３】
2012132626.tif 000005
【図４】
2012132626.tif 000006
【図５】
2012132626.tif 000007
【図６】
2012132626.tif 000008
【図７】
2012132626.tif 000009
【図８】
2012132626.tif 000010